(57)【要約】【課題】  癒し効果部材を枕内部に挿入したり、或いは上下に重ね合わせた２つの枕体の間に癒し効果部材を配置した場合、枕に頭を載せると頭の重みで癒し効果部材が圧迫され、変形したり破壊してしまう問題があった。また、近年は枕の使い心地の良さが追求され、素材の柔軟性や形状の改良が図られているものの、素材自体の通気性がほとんど考慮されていないものが多く、内部に癒し効果部材を収納しても充分な癒し効果を享受できないことになる。さらに、癒し効果部材に関しても、その硬さが硬いと頭部に異物感が伝わり枕としての本来の機能を阻害する結果となる。【解決手段】  枕体の周辺に設けた連結手段によって２層に重ねる構造の枕であって、頭部の左右に対応する層間の両側に癒し効果部材を収納するポケットを設けると共に、２層に重ねる各枕体の該癒し効果部材に対向する位置に通気部を設ける。【選択図】        図１
2011147769.tif 000002
【特許請求の範囲】
【請求項１】
枕体の周辺に設けた連結手段によって２層に重ねる構造の枕であって、頭部の左右に対応する層間の両側に癒し効果部材を収納するポケットを設けると共に、２層に重ねる各枕体の該癒し効果部材に対向する位置に通気部を設けたことを特徴とする枕。
【請求項２】
癒し効果部材は、キャタピラ状に分割包装した請求項１記載の枕。
【請求項３】
ポケットは、複数に分割した請求項１記載の枕。
【発明の詳細な説明】
【技術分野】
【０００１】
本発明は、芳香剤や消臭剤などを収納することを目的とした枕の改良に関する。
【背景技術】
【０００２】
睡眠時など頭を載せる枕に芳香剤や消臭剤などを収納することによって、癒し効果を付与する枕が広く利用されている。このような枕として、例えば特許文献１に開示されている枕がある。この枕は、上側枕体と下側枕体より構成し、これら枕体が対向する空間部に癒し効果部材を挿入配置した構造である。
【先行技術文献】
【特許文献】
【０００３】
【特許文献１】登録実用新案第３１４２８２３号
【発明の概要】
【発明が解決しようとする課題】
【０００４】
癒し効果部材を枕内部に挿入したり、或いは上下に重ね合わせた２つの枕体の間に癒し効果部材を配置した場合、枕に頭を載せると頭の重みで癒し効果部材が圧迫され、変形したり破壊してしまう問題があった。また、近年は枕の使い心地の良さが追求され、素材の柔軟性や形状の改良が図られているものの、素材自体の通気性がほとんど考慮されていないものが多く、内部に癒し効果部材を収納しても充分な癒し効果を享受できないことになる。さらに、癒し効果部材に関しても、その硬さが硬いと頭部に異物感が伝わり枕としての本来の機能を阻害する結果となる。
【０００５】
癒し効果部材として木炭、竹炭、鉱石等の脱臭剤や調湿剤を用いた枕においては、通常縫製等で接合した網構造のポケットに収納するようにして、取り替えできるようにしている。しかし、この構造では頭部を枕中央部に載せて左右に動かすと、該脱臭剤等が摩擦によって微少な雑音が生じたり、頭部に接触して違和感を感じ、枕としての本来の機能が損なわれる結果となっていた。
【０００６】
また、癒し効果部材は、一般的に袋の中にぎっしり詰められているため、変形しにくく、柔軟性を必要とする枕にはそぐわない問題があった。特に、折り畳んだり折り曲げて使用する構造の枕の場合、従来の癒し効果部材を設けると自由度が制約されたり、癒し効果部材の変形や破損、ひいては枕本体の破損に繋がる場合があった。
【課題を解決するための手段】
【０００７】
そこで本発明者は上記課題に鑑み鋭意研究した結果、本発明を成し得たものであり、その特徴とするところは、枕体の周辺に設けた連結手段によって２層に重ねる構造の枕であって、頭部の左右に対応する層間の両側に癒し効果部材を収納するポケットを設けると共に、２層に重ねる各枕体の該癒し効果部材に対向する位置に通気部を設けたことにある。
【０００８】
本明細書中でいう「枕体」とは、これを２層に重ねることによって、本発明に係る枕を構成する部材をいう。枕体を２層に重ねる手段としては、別体の２つの枕体を連結接合したり、一つの枕体を２つ折りにして２層の枕として構成する。枕体の充填材としては、羽毛、綿、そば殻、ポリエステルなどの合成樹脂繊維、スポンジ、ウレタンなどである。
【０００９】
「ポケット」とは、癒し効果部材を収納する部分をいう。ポケットとしては、癒し効果部材の機能を充分発揮させるためにネットや不織布などのように通気性に富む部材で構成する。ポケットは、枕体を２層に重ねて構成する本発明に係る枕においては、枕体に挟み込まれるいわゆる層間に設ける。この場合、ポケットは少なくとも一方の枕体の内側面に、縫製や融着などによって取り付けるが、枕体の両側に配置することで頭部を載せる中央部に癒し効果部材が存在しないようにする。
【００１０】
癒し効果部材としては、上述したように木炭、竹炭、鉱石等の脱臭剤他、芳香性を有する香り発生部材、頭部を冷やすための冷却効果部材などであり、これらを通気性を備えた不織布などの袋に入れてポケットに収納する。
【００１１】
「キャタピラ状」とは、癒し効果部材を収納する袋として、収納部を複数並列に並べた状態をいう。これにより、癒し効果部材を丸めたり変形させやすくすることができ、枕としての柔軟性を保持させることができる。この他、ポケットを複数に分割して、小袋に収納した癒し効果部材を入れるようにしてもよい。
【００１２】
「通気部」とは、枕体に設けた癒し効果部材の機能を充分発揮させるために、癒し効果部材に対向する位置に設けた通気性を確保するための孔や切欠をいう。この通気部は、２層に重ねる枕体のそれぞれに設けることで枕の表裏に関わらず同様の機能を発揮させるようにする。通気部の形状は、矩形、円形、円弧状など特に限定するものではない。また、通気部としては、部分的に複数箇所設けることによって、手や頭などがポケットに直接触れにくくするのが好ましい。
【００１３】
「連結手段」とは、本発明に係る枕は、枕体を重ねた２層構造としたものであり、２層に重ねた状態を保持するための連結部をいう。例えば、ボタン、スナップ、ファスナ、面ファスナなどの連結部材を各枕体に設けたり、これらの連結部材を設けた別体の連結具で連結して一つの枕として使用する。
【発明の効果】
【００１４】
本発明に係る枕は、枕体を固定手段によって２層に重ね、層間の両側に癒し効果部材を収納するポケットを設け、該癒し効果部材に対向する各枕体に通気部を設けたことにより、頭部に異物感を感じさせず、しかも頭部の重みで癒し効果部材を変形させたり破壊させることなく、癒し効果部材の機能を充分発揮させることができる。また、枕の両側に設けた癒し効果部材の膨らみにより、睡眠中に枕から頭が離れにくくなるなど、実用上極めて有益な効果を有するものである。
【図面の簡単な説明】
【００１５】
【図１】本発明に係る枕の一実施例を示すもので、（ａ）は枕を展開した斜視図、（ｂ）は（ａ）のＡ−Ａ’断面図である。（実施例１）
【図２】（ａ）は図１に示した枕を２層に重ねた状態の斜視図、（ｂ）は（ａ）の枕に通気部を増加させた状態の斜視図、（ｃ）は（ｂ）の枕体の一辺同士を縫着した状態の斜視図、（ｄ）は一体の枕体を２つ折りにして重ねる状態を示す斜視図である。
【図３】本発明に係る枕の他の実施例を示す斜視図である。（実施例２）
【図４】本発明に係る枕のさらに他の実施例を示す斜視図である。
【図５】本発明に係る枕のさらに他の実施例を示す斜視図である。
【図６】図２（ａ）に示した枕の正面図である。
【図７】本発明に係る枕の使用状態の一例を示す平面図である。
【図８】本発明に係る枕の使用状態の一例を示す正面図である。
【図９】（ａ）はポケットに収納する癒し効果部材の一例を示す平面図、（ｂ）は（ａ）のｂ−ｂ’断面図である。（実施例３）
【図１０】（ａ）（ｂ）（ｃ）（ｄ）はそれぞれ枕の使用状態の他の例を示す正面図である。（実施例４）
【図１１】本発明に係る枕のさらに他の実施例を示すもので、（ａ）は枕を展開した斜視図、（ｂ）は（ａ）の使用状態の他の例を示す正面図、（ｃ）は（ｂ）の側面図である。（実施例５）
【発明を実施するための形態】
【００１６】
本発明に係る枕は、枕体を固定手段によって２層に重ね、層間の両側に癒し効果部材を収納するポケットを設けると共に、該癒し効果部材に対向する各枕体に通気部を設けたことにより、上記課題を解決した。
【実施例１】
【００１７】
図１（ａ）（ｂ）は、本発明に係る枕Ｐの一実施例を示すもので、第１枕体１と第２枕体２の１辺をスナップボタン６で接合した状態を示す。本例では、第２枕体２の両側にネットで形成したポケット３を設けており、癒し効果部材１０を充填した不織布の袋４を各ポケット３に収納する。そして、第１枕体１と第２枕体２の各ポケット３に対向する箇所に２つずつ通気部５を設けている。ポケット３は、蓋３ａと底部３ｂを備えており、スナップボタン、ボタン、ファスナなどで蓋３ａを閉じるようにしている。
【００１８】
図２（ａ）は、第１枕体１と第２枕体２をスナップボタン６で接合して枕Ｐとした状態を示すもので、癒し効果部材１０を収納したポケット３が各通気部５を通じて通気性が確保される。通気部５は同図（ｂ）のように第１枕体１と第２枕体２の中央部にも設けてもよく、第１枕体１と第２枕体２は同図（ｃ）のように１辺を縫着部１１として縫着して連結してもよい。また、同図（ｄ）のように第１枕体１と第２枕体２は一体的に形成してもよく、２つ折りにすることによって２層に重ねる。
【実施例２】
【００１９】
図３は、本発明に係る枕Ｐの他の実施例を示し、枕Ｐの両側に保冷剤９を設けるようにしたものである。保冷剤９は、第１枕体１の両側に２つずつ設けた通気部５を利用して取り付ける構造であり、保冷剤９を収納する袋１７に面ファスナ２７を設けたベルト２８を取り付けている。ベルト２８を各通気部５に架け渡し面ファスナ２７で係合させることによって第１枕体１に固定する。
【００２０】
本発明に係る枕Ｐは、第１枕体１と第２枕体２を重ねて使用する構造であるため、図４のように間にマット２９を介在させることで高さ調節することが可能となる。また、各枕体の両側部に設ける通気部５としては、孔で形成する他、図５のように側端部に切欠で形成することも可能である。通気部５を切欠で形成した場合は、別体の閉部材３０で枕Ｐの側端部を連結するようにしてもよい。この場合、本例では閉部材３０にスナップボタン６を設けており、各枕体の側端部に貫通孔を設けて、閉部材３０のスナップボタン６で閉じるようにしている。
【００２１】
第１枕体１と第２枕体２をスナップボタン６で接合した枕Ｐは、図６に示すように部分的な接合となることから、第１枕体１と第２枕体２の間に隙間７が生じる。この隙間７が通気部５と同様に機能し、癒し効果部材１０に対する通気性の作用が生じる。
【００２２】
図７は、本発明に係る枕Ｐを使用する状態を示すもので、頭部８が枕Ｐの中央部に位置し、頭部８の両側に癒し効果部材１０を収納したポケット３が位置する。この状態は、図８のように頭部８がその重みによって若干沈み込むと共に、枕Ｐの両端が持ち上がりポケット３に収納した癒し効果部材１０の位置が上昇することになる。このため、癒し効果部材１０が頭部８を囲うようになって、より癒し効果が促進される状態になる。
【実施例３】
【００２３】
図９（ａ）（ｂ）は、不織布の袋４に充填した癒し効果部材１０の他の実施例を示し、キャタピラ状に分割包装したものである。これは、複数に区画した外装袋１６の各区画域に、癒し効果部材１０を充填した袋４を収納したもので、外装袋１６の各区画部１２で屈曲させることができ、枕Ｐに柔軟性を付与することができる。
【実施例４】
【００２４】
図１０（ａ）（ｂ）（ｃ）（ｄ）は、本発明に係る枕Ｐの使用形態の他の例を示し、図９（ａ）（ｂ）に示したキャタピラ状に分割包装した癒し効果部材１０を用いることにより、癒し効果部材１０に変形や破壊が生じることなく図１０（ａ）のように枕Ｐを横方向に二つ折りにすることができる。また、第１枕体１と第２枕体２の接合箇所を変えることで同図（ｂ）や同図（ｃ）のように第２枕体２を丸めて高さを変えたり、傾斜させることも可能となる。さらに、同図（ｄ）のように丸めた第２枕体２を覆うように第１枕体１を被せることで円筒状にすることもでき、抱き枕として使用することができる。
【実施例５】
【００２５】
図１１は、本発明に係る枕Ｐの使用形態のさらに他の例を示し、同図（ｂ）（ｃ）のように山形状の空洞部２６が形成されたフード状にすることができる。これは、同図（ａ）の第１枕体１と第２枕体２を接合するスナップボタン６の内、１８と２２、１９と２３、２０と２４、２１と２５を接合させることにより、形成することができる。第２枕体２をフード状にすることで、空洞部２６に頭部８を入れて覆うことができ、頭部８の保温など防寒効果を得ることができる。また、乳幼児の布団として使用することもできる。
【符号の説明】
【００２６】
Ｐ  枕
１  第１枕体
２  第２枕体
３  ポケット
３ａ  蓋
３ｂ  底部
４  袋
５  通気部
６  スナップボタン
７  隙間
８  頭部
９  保冷剤
１０  癒し効果部材
１１  縫着部
１２  区画部
１６  外装袋
２６  空洞部
２７  面ファスナ
２８  ベルト
２９  マット
３０  閉部材
【図１】
2011147769.tif 000003
【図２】
2011147769.tif 000004
【図３】
2011147769.tif 000005
【図４】
2011147769.tif 000006
【図５】
2011147769.tif 000007
【図６】
2011147769.tif 000008
【図７】
2011147769.tif 000009
【図８】
2011147769.tif 000010
【図９】
2011147769.tif 000011
【図１０】
2011147769.tif 000012
【図１１】
2011147769.tif 000013